(57)【要約】【課題】空間利用率を向上させ、コードを整合し、スピーカーの音質および效率を引き上げる長所を備えているマルチメディアキーボードの構造を提供する。【解決手段】一つのキーボード本体、一つのコントロール電路、一つの音声インプット装置および数個の音声アウトプット装置を包括し、キーボード本体には一つの外側、一つの相対する外側につながる底部座、および数個の外側および底部座が共同で擁する音室を包括する。コントロール電路はキーボード本体に設けられ、数個の高通濾波器、数個の低通濾波器および数個の功率拡大器を包括する。音声インプット装置はキーボード本体に設けられ、かつ電性でコントロール電路に接続し、これを用いて音声をキャッチする。音声アウトプット装置はキーボード本体の音室に設けられ、かつ電性でコントロール電路に接続される。コントロール電路によって音声アウトプット装置を駆動させ、ならびに音室の共振に合わせる。【選択図】図１
0003133785.tif 000002
【実用新案登録請求の範囲】
【請求項１】
コンピュータアウトプット介面で電源を供給し、一つのキーボード本体、一つのコントロール電路、一つの音声インプット装置および数個の音声アウトプット装置を包括する。その中:
当該キーボード本体には、一つの外がわ、一つの相対して外がわに連結する底部座、数個の外がわおよび底部座が共同で擁する音室、および少なくとも一つのインプット端子を包括する；
当該のコントロール電路には、キーボード本体を設け、そこには前述のインプット端子を接続し、数個の高通濾波器、数個の低通濾波器および数個の功率拡大器を包括し、当該の高通濾波器および低通濾波器はそれぞれ電性で一つの功率拡大器に接続される。
当該音声インプット装置は、キーボード本体に設けられ、しかも電性でコントロール電路に接続し、並びに音声をキャッチする；および
当該音声アウトプット装置は、キーボード本体の音室に設けられ、電性でコントロール電路に接続され、少なくとも一つの高音スピーカーおよび少なくとも一つの低音スピーカーを包括し、当該の高音スピーカーおよび低音スピーカーは、電性で上述の功率拡大器のアウトプット端末に接続されることを特徴とするマルチメディアキーボードの構造。
【請求項２】
前記外がわ内側面には一つの減震プラスチックチップが敷かれ、当該減震プラスチックチップを用いて震動を減少させることを特徴とする請求項１に記載のマルチメディアキーボードの構造。
【請求項３】
前記音声インプット装置はマイクロフォンになることを特徴とする請求項１に記載のマルチメディアキーボードの構造。。
【請求項４】
前記インプット端子は一つの介面ヘッド、一つの音声インプットヘッドおよび一つの音声アウトプットヘッドを備えていることを特徴とする請求項１に記載のマルチメディアキーボードの構造。。
【請求項５】
前記介面ヘッドはPS/2ヘッドとすることを特徴とする請求項４に記載のマルチメディアキーボードの構造。
【請求項６】
前記介面ヘッドはUSBヘッドとすることを特徴とする請求項４に記載のマルチメディアキーボードの構造。
【請求項７】
前記介面ヘッドはPS/2ヘッドおよびUSBヘッドとすることを特徴とする請求項４に記載のマルチメディアキーボードの構造。
【考案の詳細な説明】
【技術分野】
【０００１】
本考案は一種のマルチメディアキーボードの構造で、特にコントロール電路を駆動させて音声をアウトプットする装置で、音室の共振に合わせ、本考案は空間利用率を向上させ、コードを整合し、スピーカー音質および效率の向上させる長所を有している。
【背景技術】
【０００２】
目下キーボードの整合でかなり多種の機能がある。そのなかには音声アウトプットのスピーカーをキーボード内に設けたものも含まれ、キーボードにインプットの機能にとどまらず、さらに音声アウトプットの機能を持たせている。このようにして、スピーカーが空間を占める困惑を軽減させ、電線回路も減少させており、使用上かなり便利で、空間の配置を更に自由にさせている。
【０００３】
ただし、目下市場ではスピーカーを装置したキーボードはアウトプット介面(PS/2およびUSB)の電源功率により限制され、スピーカーのアウトプット功率を引き上げることができずにおり、音声の表現上、当然ながらすみきった雑音のない音声を出す効果を上げることができずにいるため、消費者の敬遠されている。消費者はスピーカーを外部に接続し、また別途にスピーカー電源を供給して、低功率で音質の悪いキーボードスピーカーを受け入れようとしない。このようにして、キーボード内のスピーカーは本来の作用を発揮することなく、キーボード内のスピーカーは装飾用品に甘んじている。
【０００４】
このため、いかにして前述のキーボードの音声アウトプットを改善し、また付加機能の多いキーボードとすることが、本案考案人が解決を欲する技術の難点の所在である。
【考案の開示】
【考案が解決しようとする課題】
【０００５】
上述の案件の問題の所在を認識したことで、本案考案人はその学理と知識を運用して研究に専念し、ついに一種のマルチメディアキーボードを創造し、産業利用に供しようとしている。
【課題を解決するための手段】
【０００６】
以上の目的およびその他の目的を達するため、本考案は一種のマルチメディアキーボードの構造を提供し、コンピュータアウトプット介面から電源を供給し、そこには一つのキーボード本体、一つのコントロール電路、一つの音声インプット装置および数個の音声アウトプット装置が包括される。その中には:
当該キーボード本体があり、一つの外がわ、一つの相対して外がわに連接する底部座、数個の外がわおよび底部座共同の音室、および少なくとも一つのインプット端子が包括される；
【０００７】
当該コントロール電路は、キーボード本体に設けられ、さらに前述のインプット端子に接続され、そこには数個の高通濾波器、数個の低通濾波器および数個の功率拡大器が包括され、当該の高通濾波器および低通濾波器は各電性で一つの功率拡大器に接続される；
【０００８】
当該の音声インプット装置は、キーボード本体に設けられ、電性でコントロール電路に接続され、音声をキャッチする；および
当該の音声アウトプット装置は、キーボード本体の音室に設けられ、電性でコントロール電路に接続され、そこには少なくとも一つの高音スピーカーおよび少なくとも一つの低音スピーカーが包括され、当該の高音スピーカーおよび低音スピーカーは電性で上述の功率拡大器のアウトプット端末に接続される。
上述の技術的手段によって、本考案は広く知られた欠陥を改善し、しかも空間利用率を向上させ、コードを整合し、スピーカーの音質および效率を向上させる長所を有する。
【考案を実施するための最良の形態】
【０００９】
本考案で採用した技術、手段およびその達成する功效に関して、比較的優れた実施例を上げ、図式と逢わせて詳細に説明した後、より深く具体的に理解していただけるものと確信する。
【００１０】
図１から図４の示すところを参照されたし。本創作のマルチメディアキーボードの構造は、コンピュータアウトプット介面92から電源を供給し、ここには一つのキーボード本体1、一つのコントロール電路2、一つの音声インプット装置3、および数個の音声アウトプット装置4が包括される。その中には:
【００１１】
当該キーボード本体1があり、一つの外がわ11、一つの相対連接外がわ11の底部座12、数個の外がわ11および底部座12が共同で擁する独立容室13と音室14、および少なくとも一つのインプット端子15が包括され、当該の外がわ11の一つの側面には複数キー111が設けられている。当該キー111の内側面には一つの減震プラスチックチップ112が敷かれ、震動の現象に用いられる。また音室14は、数個の外がわ11から内に向って伸びた反射導管141、および数個の底部座12から内に向って伸びたサウンド・カップ142を備えており、当該サウンド・カップ142は反射導管141の外環側を覆って設けられ、またサウンド・カップ142および反射導管141は一定の距離を有する。ここで述べるインプット端子15は一つの介面ヘッド151、一つの音声インプットヘッド152、および一つの音声アウトプットヘッド153を有する。
【００１２】
当該コントロール電路2は、キーボード本体1の独立容室13にも受けられ、前述のインプット端子15に接続されており、そこには数個の高通濾波器21、数個の低通濾波器22、数個の功率拡大器23および一つの濾波電路24が包括される；その中、前述のインプット端子15は高通濾波器21、低通濾波器22および濾波電路24に接続され、またアウトプット電源給濾波電路24、当該濾波電路24は電性で連接され、ならびに電源を高通濾波器21、低通濾波器22および功率拡大器23に供給している。当該の高通濾波器21および低通濾波器22は、各電性で一つの功率拡大器23に接続されている。
【００１３】
当該音声インプット装置3は、キーボード本体1の独立容室13に設けられ、電性でコントロール電路2に接続され、しかも音声をキャッチし、音声インプット装置3はマイクロフォンにもなる。および
【００１４】
当該音声アウトプット装置4は、キーボード本体1の音室14に設けられ、電性でコントロール電路2に接続され、少なくとも一つの高音スピーカー41および少なくとも一つの低音スピーカー42を包括する。当該の高音スピーカー41および低音スピーカー42は、電性で上述の功率拡大器23のアウトプット端末に接続される。
【００１５】
上述の枠組みの使用状態に関しては、図４を参照されたし。本考案のマルチメディアキーボードの構造は、インプット端子15の介面ヘッド151とコンピュータアウトプット介面92に連接し、当該介面ヘッド151はPS/2あるいはUSBヘッドとし、しかもインプット端子15の音声インプットヘッド152および音声アウトプットヘッド153は、電性でコンピュータ音效イン・アウトプット介面91に接続される。当該コンピュータの音效イン・アウトプット介面91は、音声インプット装置3で音声をキャッチし、かつコンピュータ音效イン・アウトプット介面91は音声信号をコントロール電路2の高通濾波器21および低通濾波器22に送信して濾過して成高する。低周波音波は、高音波動態範囲を向上させ、当該の高、低周波音波はそれぞれ一つの功率拡大器23を経て功率を拡大した後、高音スピーカー41および低音スピーカー42を経て放送され、また音室14の共振效果を経て、音声アウトプットの效果をより良好にする。
【００１６】
このほかに注意すべきことは、コントロール電路2が同時に左、右双方の音声信号を処理でき、音声インプット装置3を通じて音声をアウトプットできることだ。当然ながらステレオで、適切に設置しさえすれば上述と同じ使用目的および功效を実現することができる。
【図面の簡単な説明】
【００１７】
【図１】本考案の比較的優れた実施例の外観立体図
【図２】本考案の比較的優れた実施例の構造分解立体図
【図３】図１中で 示したA-A 線に沿った剖面図
【図４】本考案の比較的優れた実施例のブロック図
【符号の説明】
【００１８】
1      キーボード本体
11     外がわ
111    キー
112    減震プラスチックチップ
12     底部座
13     独立容室
14     音室
141    反射導管
142    サウンド・カップ
15     インプット端子
151    介面ヘッド
152    音声インプットヘッド
153    音声アウトプットヘッド
2      コントロール電路
21     高通濾波器
22     低通濾波器
23     功率拡大器
24     濾波電路
3      音声インプット装置
4      音声アウトプット装置
41      高音スピーカー
42      低音スピーカー
91      コンピュータ音效イン・アウトプット介面
92      コンピュータアウトプット介面
【図１】
0003133785.tif 000003
【図２】
0003133785.tif 000004
【図３】
0003133785.tif 000005
【図４】
0003133785.tif 000006
【手続補正書】
【提出日】平成19年5月23日(2007.5.23)
【手続補正１】
【補正対象書類名】実用新案登録請求の範囲
【補正対象項目名】請求項１
【補正方法】変更
【補正の内容】
【請求項１】
コンピュータアウトプット介面で電源を供給し、一つのキーボード本体、一つのコントロール電路、一つの音声インプット装置および数個の音声アウトプット装置を包括し、
当該キーボード本体には、一つの外がわ、一つの相対して外がわに連結する底部座、数個の外がわおよび底部座が共同で擁する音室、および少なくとも一つのインプット端子を包括し、
当該のコントロール電路には、キーボード本体を設け、そこには前述のインプット端子を接続し、数個の高通濾波器、数個の低通濾波器および数個の功率拡大器を包括し、当該の高通濾波器および低通濾波器はそれぞれ電性で一つの功率拡大器に接続され、
当該音声インプット装置は、キーボード本体に設けられ、しかも電性でコントロール電路に接続し、並びに音声をキャッチし、および
当該音声アウトプット装置は、キーボード本体の音室に設けられ、電性でコントロール電路に接続され、少なくとも一つの高音スピーカーおよび少なくとも一つの低音スピーカーを包括し、当該の高音スピーカーおよび低音スピーカーは、電性で上述の功率拡大器のアウトプット端末に接続されることを特徴とするマルチメディアキーボードの構造。
【手続補正２】
【補正対象書類名】実用新案登録請求の範囲
【補正対象項目名】請求項３
【補正方法】変更
【補正の内容】
【請求項３】
前記音声インプット装置はマイクロフォンになることを特徴とする請求項１に記載のマルチメディアキーボードの構造。
【手続補正３】
【補正対象書類名】実用新案登録請求の範囲
【補正対象項目名】請求項４
【補正方法】変更
【補正の内容】
【請求項４】
前記インプット端子は一つの介面ヘッド、一つの音声インプットヘッドおよび一つの音声アウトプットヘッドを備えていることを特徴とする請求項１に記載のマルチメディアキーボードの構造。